(57)【要約】【課題】両面タッチスクリーンを搭載し且つ誤操作を抑制可能な携帯端末、その制御方法および記憶媒体を提供する。【解決手段】携帯端末には、表示部と組み合わされた第１タッチスクリーンと第２タッチスクリーンとが設けられる。携帯端末の検出手段により携帯端末の姿勢が横向き姿勢または縦向き姿勢のいずれであるかが検出され（ステップＳ３０１、Ｓ３０２）、検出結果に応じて、第２タッチスクリーンの一部領域への操作を無効化する制御が制御手段により行われる（ステップＳ３０４）。【選択図】図５
2014211865.tif 000002
【特許請求の範囲】
【請求項１】
表示部と組み合わされた第１タッチスクリーンと第２タッチスクリーンとを備えた携帯端末であって、
前記携帯端末が前記携帯端末の長辺が水平面に対して水平方向となる横向きに保持されているか、前記携帯端末の長辺が水平面に対して垂直方向となる縦向きに保持されているかを検出する検出手段と、
前記検出手段による検出結果に応じて、前記第２タッチスクリーンの一部領域への操作を無効とし、他の領域への操作を有効とするように制御する制御手段と
を備えることを特徴とする携帯端末。
【請求項２】
前記制御手段は、前記携帯端末が縦向きに保持されていることを前記検出手段が検出した場合には、前記第２タッチスクリーンのうち、ユーザの手が触れるおそれのある領域への操作を無効とするように制御することを特徴とする請求項１に記載の携帯端末。
【請求項３】
前記携帯端末が横向きに保持されていることを前記検出手段が検出した場合には、前記制御手段は、前記第２タッチスクリーンの全領域への操作を有効とするように制御することを特徴とする請求項１に記載の携帯端末。
【請求項４】
前記第２タッチスクリーンの操作が無効とされている無効領域を示す表示と前記第２タッチスクリーンの操作が無効とされていない有効領域を示す表示の少なくとも一方を前記表示部にアイコンを用いて表示することを特徴とする請求項１に記載の携帯端末。
【請求項５】
前記第２タッチスクリーンの無効領域が変化した場合に、前記無効領域が変化したことを通知する通知手段をさらに備えることを特徴とする請求項４に記載の携帯端末。
【請求項６】
前記第２タッチスクリーンの前記ユーザの手が触れるおそれのある領域は、前記第２タッチスクリーンの下半分の領域であることを特徴とする請求項２に記載の携帯端末。
【請求項７】
前記制御手段は、前記第２タッチスクリーンの前記一部領域に対する操作を無効とする場合には、前記第２タッチスクリーンの前記一部領域に対する操作検出用電源の供給を遮断するように制御することを特徴とする請求項１に記載の携帯端末。
【請求項８】
前記制御手段は、前記第２タッチスクリーンの前記一部領域に対する操作を無効とする場合には、前記第２タッチスクリーンの前記一部領域への操作に応じて前記第２タッチスクリーンから出力される検出信号を無視することを特徴とする請求項１に記載の携帯端末。
【請求項９】
表示部と組み合わされた第１タッチスクリーンと第２タッチスクリーンとを携帯端末の制御方法であって、
前記携帯端末が前記携帯端末の長辺が水平面に対して水平方向となる横向きに保持されているか、前記携帯端末の長辺が水平面に対して垂直方向となる縦向きに保持されているかを検出する検出ステップと、
前記検出ステップにおける検出結果に応じて、前記第２タッチスクリーンの一部領域への操作を無効とし、他の領域への操作を有効とするように制御する制御ステップと
を備えることを特徴とする制御方法。
【請求項１０】
表示部と組み合わされた第１タッチスクリーンと第２タッチスクリーンとを備えた携帯端末の制御方法をコンピュータに実行させるためのプログラムをコンピュータで読み取り可能に格納した記憶媒体であって、
請求項９に記載の制御方法を実行するためのプログラムを格納したことを特徴とする記憶媒体。
【発明の詳細な説明】
【技術分野】
【０００１】
本発明は、両面タッチスクリーンを搭載した携帯端末及びその制御方法、並びに該制御方法を実行するためのプログラムを格納した記憶媒体に関する。
【背景技術】
【０００２】
近年、タッチスクリーン（タッチパネルとも云う）を搭載したスマートフォンやタブレットなどの携帯端末が普及している。また、携帯端末向けに電話やメール、ゲーム、ｗｅｂページ閲覧、スケジュール管理などの様々なアプリケーションが提供されている。
【０００３】
携帯端末の操作方法や持ち方は、携帯端末でユーザが使用するアプリケーションにより異なる。例えばゲームをする際、ユーザは、一般に、携帯端末を横向きにして両手で持ち、家庭用ゲーム機のコントローラのように携帯端末を両親指で操作する。またメールを打ったりｗｅｂページを閲覧したりするとき、ユーザは、一般に、携帯端末を縦向きにして片手で背面を覆う形で携帯端末を持ち、持ち手の親指または反対の手で操作する。
【０００４】
タッチスクリーンは、タッチスクリーンに表示される表示オブジェクト（例えば操作ボタンや操作キーの画像）に対応するタッチ検知領域を有し、表示オブジェクト（タッチ検知領域）のいずれかがタッチされると、このタッチ操作を検出するようになっている。そのため、ユーザが誤ってタッチ検知領域のいずれかに触れた場合にも、誤タッチがタッチ操作として検出される。したがって、タッチスクリーンには誤操作が起こりやすいといった問題がある。
【０００５】
また、ユーザによるタッチ操作を受け付けるためにタッチスクリーンのタッチ機能を有効にしておくと、タッチ検知領域として機能するタッチスクリーン領域での動作電力に加えてそれ以外のタッチスクリーン領域で動作電力が消費される。つまり、タッチスクリーンには消費電力が大きいという問題がある。
【０００６】
既述のように、タッチスクリーンには、タッチ検知領域に対応して表示オブジェクトたとえば操作キー画像へが表示される。ユーザがタッチスクリーンを斜め方向から見たとき、操作キー画像がずれて見えることがある。この場合、タッチすべき操作キー画像の隣りの操作キー画像をユーザがタッチし、誤操作を招くという問題が生じる。これに対し、携帯端末装置の表示面の基準軸に対する傾きに基づいてタッチパネル（タッチスクリーン）におけるタッチ検知領域の位置を基準位置から移動させる携帯端末装置が提案されている（例えば、特許文献１参照）。これにより誤操作が防止される。
【０００７】
また、タッチパネル（タッチスクリーン）に表示される操作ボタン画像の使用頻度にばらつきがある場合、操作頻度の高い操作ボタン画像が表示されるタッチパネル部分が早く劣化してタッチパネルの寿命を縮めるという問題がある。これに対し、操作ボタンの使用頻度を検出し頻度の高い操作ボタンの画像表示位置を変更すると共に画像表示位置に対応するタッチパネル領域のみをタッチ操作検知可能状態にする電子機器が提案されている（例えば、特許文献２参照）。これによりタッチパネルの劣化を抑えると共に消費電力の削減を可能にしている。
【先行技術文献】
【特許文献】
【０００８】
【特許文献１】特開２０１２−０３７９６３号公報
【特許文献２】特開２００２−２９７３１６号公報
【発明の概要】
【発明が解決しようとする課題】
【０００９】
近年、正面と背面の双方にタッチスクリーン（以下、両面タッチスクリーンという）を備えたゲーム機が登場しており、今後、両面タッチスクリーンを搭載した携帯端末が普及すると考えられる。両面タッチスクリーンを備えた携帯端末は、基本的には、正面タッチスクリーンのみを備えた携帯端末と同様に操作することができる。例えば、携帯端末を両手で持ち、両手の人差し指や中指で背面タッチスクリーンを操作することができる。また、携帯端末を片手で持ち、持ち手の人差し指で背面タッチスクリーンを操作することができる。
【００１０】
しかしながら、両面タッチスクリーンを搭載した携帯端末には下記の固有の問題がある。携帯端末を片手持ちをした場合、持ち手が背面タッチスクリーンに触れて誤操作を招くと共に、背面タッチスクリーンの持ち手で覆われた領域に対するタッチ操作を行うことができなくなる。また、持ち手で覆われたタッチスクリーン領域のタッチ機能が有効であると、無駄な電力消費が発生する。
【００１１】
特許文献１に提案の方法では表示画面の傾きに応じてタッチスクリーンにおけるタッチ検知領域の位置を移動させる。また、特許文献２に提案の方法では画像表示位置に対応するタッチスクリーン領域以外の領域のタッチ機能を常に無効にしておく。しかしながら、これらの方法では、両面タッチスクリーンを搭載した携帯端末に特有の上記問題が解決できない。
【００１２】
本発明は、上記問題点に鑑みてなされたものであり、両面タッチスクリーンを搭載し且つ誤操作を抑制可能な携帯端末及びその制御方法、並びに該制御方法を実行するためのプログラムを格納した記憶媒体を提供することを目的とする。
【課題を解決するための手段】
【００１３】
上記目的を達成するため、本発明の携帯端末は、表示部と組み合わされた第１タッチスクリーンと第２タッチスクリーンとを備えた携帯端末であって、前記携帯端末が前記携帯端末の長辺が水平面に対して水平方向となる横向きに保持されているか、前記携帯端末の長辺が水平面に対して垂直方向となる縦向きに保持されているかを検出する検出手段と、前記検出手段による検出結果に応じて、前記第２タッチスクリーンの一部領域への操作を無効とし、他の領域への操作を有効とするように制御する制御手段とを備えることを特徴とする。
【００１４】
本発明の制御方法は、表示部と組み合わされた第１タッチスクリーンと第２タッチスクリーンとを備えた携帯端末の制御方法であって、前記携帯端末が前記携帯端末の長辺が水平面に対して水平方向となる横向きに保持されているか、前記携帯端末の長辺が水平面に対して垂直方向となる縦向きに保持されているかを検出する検出ステップと、前記検出ステップにおける検出結果に応じて、前記第２タッチスクリーンの一部領域への操作を無効とし、他の領域への操作を有効とするように制御する制御ステップとを備えることを特徴とする。
【００１５】
本発明の記憶媒体は、表示部と組み合わされた第１タッチスクリーンと第２タッチスクリーンとを備えた携帯端末の制御方法をコンピュータに実行させるためのプログラムをコンピュータで読み取り可能に格納した記憶媒体であって、前記制御方法が、前記携帯端末が前記携帯端末の長辺が水平面に対して水平方向となる横向きに保持されているか、前記携帯端末の長辺が水平面に対して垂直方向となる縦向きに保持されているかを検出する検出ステップと、前記検出ステップにおける検出結果に応じて、前記第２タッチスクリーンの一部領域への操作を無効とし、他の領域への操作を有効とするように制御する制御ステップとを備えることを特徴とする。
【発明の効果】
【００１６】
本発明によれば、両面タッチスクリーンを搭載した携帯端末における誤操作を抑制することができる。
【図面の簡単な説明】
【００１７】
【図１】本発明の実施の形態に係る携帯端末の外観を示す図であり、同図（ａ）は携帯端末の外観を示す正面斜視図であり、同図（ｂ）は携帯端末の背面斜視図である。
【図２】携帯端末の概略構成を示すブロック図である。
【図３】携帯端末に対する操作例を説明するための図であり、同図（ａ）は両手で持った携帯端末に対する操作例を示し、（ｂ）は片手で持った携帯端末に対する操作例を示し、（ｃ）は片手で持った携帯端末に対する誤操作例を示す。
【図４】携帯端末の第２タッチスクリーンの有効領域の一例を示す図であり、同図（ａ）は両手で持った携帯端末の第２タッチスクリーンの有効領域の一例を示し、（ｂ）は片手で持った携帯端末の第２タッチスクリーンの有効領域の一例を示す。
【図５】携帯端末によって実行されるタッチスクリーン制御処理の手順を示すフローチャートである。
【図６】図５のタッチスクリーン制御処理によって携帯端末の第２タッチスクリーンに設定された領域を示すアイコンを携帯端末の液晶ディスプレイに表示した例を示す図であり、同図（ａ）は縦向き姿勢の携帯端末の第２タッチスクリーンに設定された無効領域及び有効領域を示すアイコンの表示例を示し、（ｂ）は横向き姿勢の携帯端末の第２タッチスクリーンに設定された有効領域を示すアイコンの表示例を示す。
【図７】図５のタッチスクリーン制御処理によって第２タッチスクリーンに設定される有効領域または無効領域の変化に伴うアイコンの変化例を示す図である。
【図８】第２タッチスクリーンに設定された無効領域及び有効領域を示すアイコンを画面表示するタッチスクリーン制御処理の手順を示すフローチャートである。
【発明を実施するための形態】
【００１８】
以下、本発明の実施の形態について図面を参照しながら詳述する。
【００１９】
図１は、本発明の実施の形態に係る携帯端末１００の外観を示す図である。
【００２０】
図１において、携帯端末１００は、透明な材質で形成された第１タッチスクリーン１０１とその下方に配され該タッチスクリーン１０１と組み合わされた液晶ディスプレイ（図２に符号１０６で示す）とを正面に備えている。また、携帯端末１００は、第２タッチスクリーン１０２を背面に備えている。
【００２１】
ユーザは、第１タッチスクリーン１０１及び第２タッチスクリーン１０２をそれぞれ独立して操作可能であり、これにより動作モードの選択、各種機能の設定、動作指示、及び画像データに対する編集処理時の画像データの選択や移動などを行うことができる。
【００２２】
さらに、ユーザは、液晶ディスプレイ１０６（表示部）に画像データを表示させながら、第１タッチスクリーン１０１上でタッチ、ドラッグ、ピンチ、フリックなどの操作を行うことができる。これにより、表示された画像における所望の座標位置の指定等を行うことができる。
【００２３】
図２は、携帯端末１００の概略構成を示す図である。
【００２４】
図２において、携帯端末１００は、ＣＰＵ１０８、ＲＯＭ１０９、ＲＡＭ１１０、不揮発性メモリ１１１、ネットワーク通信部１１３、操作制御部１０７、及びセンサ制御部１１５を備え、それらはシステムバス１１２に接続されている。
【００２５】
操作制御部１０７には第１タッチスクリーン１０１、第２タッチスクリーン１０２及び液晶ディスプレイ１０６が接続され、センサ制御部１１５には加速度センサ１１４が接続されている。
【００２６】
ＣＰＵ１０８は、携帯端末１００全体を制御し、ＯＳ（Operating System）やアプリケーションソフトなどのプログラムを不揮発性メモリ１１１から読み出して実行することで種々の機能を提供する。
【００２７】
ＲＡＭ１１０はＣＰＵ１０８がプログラムを実行する際のシステムワークメモリである。ＲＯＭ１０９はＢＩＯＳ（Basic Input Output System）、ＯＳを起動するためのプログラム、及び設定ファイルなどを記憶している。不揮発性メモリ１１１は、システムソフトウェアなどを記憶している。
【００２８】
ネットワーク通信部１１３は外部機器とＷＬＡＮ通信方式や３Ｇ方式などにより無線通信する。液晶ディスプレイ１０６にはプログラムが指示する画面情報に基づき所定の解像度や色数等で情報が描画される。例えば、液晶ディスプレイ１０６にはＧＵＩ（Graphical User Interface）画面が表示され、操作に必要な各種ウィンドウやデータ等がＧＵＩ画面に表示される。
【００２９】
操作制御部１０７は、第１タッチスクリーン１０１、第２タッチスクリーン１０２及び液晶ディスプレイ１０６とデータ、情報及び制御信号を送受信する。例えば、第１タッチスクリーン１０１と第２タッチスクリーン１０２により得られた座標情報は、操作制御部１０７に送信される。また、液晶ディスプレイ１０６は、表示する画像データを操作制御部１０７から受信する。
【００３０】
また、操作制御部１０７は、第１タッチスクリーン１０１、第２タッチスクリーン１０２、及び液晶ディスプレイ１０６の各々を制御する際に一時的に記憶して置くべきデータや情報をＲＡＭ１１０に記憶する。
【００３１】
加速度センサ１１４は、３軸方向の重力加速度成分を検出し、検出した加速度成分を示す信号をセンサ制御部１１５に送信する。センサ制御部１１５は、加速度センサ１１４からの加速度成分信号から、携帯端末１００の姿勢（向き）を検出する。
【００３２】
図３（ａ）は、両手で持った携帯端末１００に対する操作例を示す図である。図３（ａ）に示すように、ユーザは、平面視矩形状に形成された携帯端末１００をその長辺がユーザから見て左右方向（言い換えると、長辺が水平面に対して水平方向）に延びる横向き姿勢にし、携帯端末１００の両端を両手で持つことができる。この場合、ユーザは、両手の親指で第１タッチスクリーン１０１を操作し、両手の人差し指や中指を用いて第２タッチスクリーン１０２を操作することができる。すなわち、図３（ａ）にクロスハッチングおよび２つのクロス矢印で示すように、ユーザは第２タッチスクリーン１０２の全ての領域に対して両手の指で操作を行うことができる。
【００３３】
図３（ｂ）は、片手で持った携帯端末１００に対する操作例を示す図である。図３（ｂ）に示すように、ユーザは、携帯端末１００を同端末の長辺がユーザから見て上下方向（言い換えると、長辺が水平面に対して垂直方向）に延びる縦向き姿勢にし、携帯端末１００を片手で持つことができる。この場合、ユーザは、持ち手の親指、または反対の手の指で第１タッチスクリーン１０１を操作することができる。
【００３４】
携帯端末１００を片手持ちした場合、両手持ちの場合と比べて、第２タッチスクリーン１０２に対して操作を行うことができる領域が限られる。例えば、持ち手の人差し指を使用して第２タッチスクリーン１０２を操作する場合、人差し指で操作可能な領域は図３（ｂ）にクロス矢印で示すように限られ、第２タッチスクリーン１０２では操作不可能な領域が発生する。
【００３５】
図３（ｃ）は、片手で持った携帯端末に対する誤操作例を示す図であり、図３（ｃ）の例では、ユーザは携帯端末１００の裏面を覆うように持つため、持ち手の手のひらが第２タッチスクリーン１０２に接触し、誤操作を起こしてしまう可能性がある。
【００３６】
そこで、本実施の形態では、例えば第２タッチスクリーンの一部領域を無効化する。タッチスクリーンの一部領域を無効化すると、一部領域に対してユーザにより操作が行われても、その操作に対応する処理は携帯端末１００で行われない。
【００３７】
一部領域の無効化は、無効化する一部領域に対する操作検出用電源の供給を遮断することにより実現することができ、これにより消費電力を低減することができる。また、操作検出用電源の供給を遮断せずとも、供給する電力を小さくし、タッチ操作の検出感度を下げるようにしてもよい。また、一部領域の無効化は、無効化する一部領域への操作が行われた場合にタッチスクリーンから出力される検出信号を無視するようにソフトウェアで制御することにより実現することができる。以下、無効化された領域を無効領域と称し、無効化されていない領域を有効領域と称する。
【００３８】
図４（ａ）は、両手で持った携帯端末１００の第２タッチスクリーン１０２での有効領域の一例を示す図であり、図４（ｂ）は、片手で持った携帯端末１００の第２タッチスクリーン１０２での有効領域の一例を示す図である。
【００３９】
上述したように、携帯端末１００を両手持ちした場合、ユーザは、両手を使って第２タッチスクリーン１０２の全ての領域に対して操作を行うことができる。すなわち、第２タッチスクリーン１０２の全領域が有効領域となる。
【００４０】
一方、携帯端末１００を片手持ちした場合は、持ち手の手のひらが第２タッチスクリーン１０２に接触し、誤操作を起こす可能性がある。そこで、持ち手の手のひらが接触するおそれのあるタッチスクリーン領域を無効領域とし、それ以外のタッチスクリーン領域を有効領域とする。なお、画面をスクロールさせるような、人差し指のみでの操作が想定される場合は、人差し指の可動域に対応するタッチスクリーン領域のみを有効領域とするようにしてもよい。
【００４１】
図５は、携帯端末１００によって実行されるタッチスクリーン制御処理の手順を示すフローチャートである。
【００４２】
図５において、携帯端末１００のセンサ制御部１１５は、加速度センサ１１４の信号から携帯端末１００の向きを検出し（ステップＳ３０１）、検出結果に応じて携帯端末１００の向きが横向きであるか否かを判別する（ステップＳ３０２）。ステップＳ３０１，Ｓ３０２は、携帯端末１００の姿勢が、横向き姿勢または縦向き姿勢のいずれであるかを検出する本発明の検出手段に対応する。
【００４３】
携帯端末１００の向きが横向きのとき（ステップＳ３０２でＹＥＳ）、携帯端末１００がユーザにより両手で持たれる。この場合、操作制御部１０７は、第２タッチスクリーン１０２の全領域が有効領域となるように第２タッチスクリーン１０２を制御する（ステップＳ３０３）。これにより、第２タッチスクリーン１０２への操作が第２タッチスクリーン１０２の全領域で有効になる（図４（ａ）参照）。
【００４４】
一方、携帯端末１００の向きが横向きでないとき（ステップＳ３０２でＮＯ）、携帯端末１００が縦向きであってユーザにより片手で持たれる。この場合、操作制御部１０７は、持ち手の手のひらが接触するおそれのある第２タッチスクリーン１０２の下半分の領域が無効領域となるように第２タッチスクリーン１０２を制御する（ステップＳ３０４）。これにより、第２タッチスクリーン１０２への操作がユーザの手が触れるおそれのある領域で無効になる（図４（ｂ）参照）。
【００４５】
ステップＳ３０５では、ＣＰＵ１０８は、携帯端末１００がスリープ状態であるか否かを判別する。携帯端末１００がスリープ状態のときは（ステップＳ３０５でＹＥＳ）、本処理を終了する。一方、携帯端末１００がスリープ状態ではないときは（ステップＳ３０５でＮＯ）、センサ制御部１１５は加速度センサ１１４の信号をモニタし（ステップＳ３０６）、これにより携帯端末１００の向きを検出し続ける。
【００４６】
ステップＳ３０７では、センサ制御部１１５は携帯端末１００の向きが変化したか否かを判別し、携帯端末１００の向きが変化していないときは（ステップＳ３０７でＮＯ）、ステップＳ３０７に戻る。一方、携帯端末１００の向きが変化したときは（ステップＳ３０７でＹＥＳ）、ステップＳ３０２に戻る。
【００４７】
図５のタッチスクリーン制御処理により携帯端末１００が横向きの場合は第２タッチスクリーン１０２全面を有効領域とすることで、第２タッチスクリーン１０２に対する操作を第２タッチスクリーン１０２の全面で行えるようになる。一方、携帯端末１００が縦向きの場合は、ユーザの手が接触するおそれのある第２タッチスクリーン１０２の下半分の領域を無効領域とする。これにより、背面にタッチスクリーンを備えた携帯端末において主にユーザによる携帯端末の持ち方により生じる誤操作を抑制可能となる。また、無効化するタッチスクリーン領域に対する操作検出用電源の供給を遮断することで、消費電力を抑えることができる。
【００４８】
以上説明したタッチスクリーン制御処理によって設定された第２タッチスクリーン１０２の有効領域及び無効領域のそれぞれを示す表示の少なくとも一方を液晶ディスプレイ１０６に表示するようにしてもよい。
【００４９】
図６（ａ）は、図５のタッチスクリーン制御処理によって縦向き姿勢の第２タッチスクリーン１０２に設定された無効領域及び有効領域を示す表示（アイコン２０１）を液晶ディスプレイ１０６の画面右上に表示した例を示す図である。図６（ａ）のアイコン２０１は、上半分２０１ａが第２タッチスクリーン１０２の有効領域を示す一方、下半分２０１ｂが無効領域を示す。
【００５０】
なお、図６（ａ）の右半部の一点鎖線の楕円内にハッチング及びクロスハッチングで示されるように、有効領域を示すアイコンの上半分２０１ａと無効領域を示すアイコンの下半分２０１ｂとが相異なる柄で表示されているが、これに限定されない。例えば、アイコンの上半分と下半分とを相異なる色で表示したり、アイコンの上半分と下半分とに「有効」、「無効」などの文字を表示してもよい。これにより、アイコンの上半分と下半分とが視覚的に区別され、ユーザは第２タッチスクリーン１０２の有効領域と無効領域とを容易に認識することができる。
【００５１】
図６（ｂ）は、横向き姿勢の第２タッチスクリーン１０２に設定された有効領域を示す表示（アイコン２０２）を液晶ディスプレイ１０６の画面右上に表示した例を示す図である。図６（ｂ）のアイコン２０２は、第２タッチスクリーン１０２の全面が有効領域であることを示す。
【００５２】
なお、図６（ｂ）の右半部の一点鎖線の楕円内にハッチングで示されるように、アイコン２０２の全体が同一の柄で表示されているが、これに限定されない。例えば、アイコンの全体を同一の色で表示したり、アイコンに「有効」などの文字を表示してもよい。これにより、ユーザは第２タッチスクリーン１０２の全領域が有効領域であることを容易に認識することができる。
【００５３】
図７は、図５のタッチスクリーン制御処理によって第２タッチスクリーン１０２に設定される有効領域または無効領域の変化に伴うアイコンの変化例を示す図である。
【００５４】
図７には、携帯端末１００の横向き姿勢から縦向き姿勢への変化に伴うアイコンの変化例が示されている。ユーザが携帯端末１００を横向き姿勢で保持している状態では、第２タッチスクリーン１０２の全面が有効領域となっている。携帯端末１００が横向き姿勢から縦向き姿勢に変化するようにユーザが携帯端末１００を持ち替えると、第２タッチスクリーン１０２の上半分が有効領域になり、下半分が無効領域となる。
【００５５】
このとき、液晶ディスプレイ１０６の画面に表示されるアイコンがアイコン２０２からアイコン２０１に変化するが、アイコンは小さいため、ユーザがアイコンの変化に気づかないおそれがある。そこで、本実施形態では、第２タッチスクリーン１０２の有効領域が変化したことを示すメッセージ（図７の例では、「背面タッチスクリーンの有効領域が変わりました」というメッセージ２０３）を液晶ディスプレイ１０６の画面に一定時間表示する。これにより、第２タッチスクリーン１０２の有効領域が変化したことをユーザに認識させることができる。なお、メッセージを表示する以外に、音声でユーザに通知するようにしてもよい。
【００５６】
図８は、第２タッチスクリーン１０２に設定された無効領域及び有効領域を示すアイコンを液晶ディスプレイ１０６の画面に表示するタッチスクリーン制御処理の手順を示すフローチャートである。
【００５７】
図８において、センサ制御部１１５は、加速度センサ１１４の信号から携帯端末１００の向きを検出し（ステップＳ９０１）、携帯端末１００の向きが横向きであるか否かを判別する（ステップＳ９０２）。
【００５８】
携帯端末１００の向きが横向きのときは（ステップＳ９０２でＹＥＳ）、操作制御部１０７は、第２タッチスクリーン１０２の全領域が有効領域となるように第２タッチスクリーン１０２を制御する（ステップＳ９０３）。そして、全面有効アイコン（図６（ｂ）および図７に符号２０２で示す）を液晶ディスプレイ１０６に画面表示させる（ステップＳ９０４）。
【００５９】
一方、携帯端末１００の向きが横向きでないときは（ステップＳ９０２でＮＯ）、操作制御部１０７は、ユーザの手のひらが接触するおそれのある第２タッチスクリーン１０２の下半分領域が無効領域となるように制御する（ステップＳ９０５）。
【００６０】
次に、ステップＳ９０６では、操作制御部１０７は、第２タッチスクリーン１０２の上半分が有効領域であり下半分が無効領域であることを示すアイコン（図６（ａ）および図７に符号２０１で示す）を液晶ディスプレイ１０６に画面表示させる。
【００６１】
ステップＳ９０７では、ＣＰＵ１０８は、携帯端末１００がスリープ状態であるか否かを判別する。携帯端末１００がスリープ状態のときは（ステップＳ９０７でＹＥＳ）、本処理を終了する。
【００６２】
一方、携帯端末１００がスリープ状態ではないときは（ステップＳ９０７でＮＯ）、センサ制御部１１５は加速度センサ１１４の信号をモニタし（ステップＳ９０８）、これにより携帯端末１００の向きを検出し続ける。
【００６３】
ステップＳ９０９では、センサ制御部１１５は携帯端末１００の向きが変化したか否か判別し、携帯端末１００の向きが変化していないときは（ステップＳ９０９でＮＯ）、ステップＳ９０９に戻る。一方、携帯端末１００の向きが変化したときは、操作制御部１０７は、第２タッチスクリーン１０２の有効領域または無効領域が変化したことを示すメッセージ２０３を液晶ディスプレイ１０６に一定時間画面表示させる（ステップＳ９１０）。そして、ステップＳ９０２に戻る。
【００６４】
図８のタッチスクリーン制御処理によれば、第２タッチスクリーン１０２の無効領域または有効領域が変化した場合、斯かる変化をユーザが容易に認識することが可能となる。
【００６５】
（他の実施の形態）
本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータがプログラムコードを読み出して実行する。この場合、そのプログラム、及び該プログラムを格納した記憶媒体は本発明を構成することになる。
【００６６】
以上、本発明の好ましい実施形態について説明したが、本発明はこれらの実施形態に限定されず、その要旨の範囲内で種々の変形及び変更が可能である。
【符号の説明】
【００６７】
１００  携帯端末
１０１  第１タッチスクリーン
１０２  第２タッチスクリーン
１０６  液晶ディスプレイ
１０７  操作制御部
１０８  ＣＰＵ
１０９  ＲＯＭ
１１０  ＲＡＭ
１１１  不揮発性メモリ
１１４  加速度センサ
１１５  センサ制御部
２０１、２０２  アイコン
２０３  メッセージ
【図１】
2014211865.tif 000003
【図２】
2014211865.tif 000004
【図３】
2014211865.tif 000005
【図４】
2014211865.tif 000006
【図５】
2014211865.tif 000007
【図６】
2014211865.tif 000008
【図７】
2014211865.tif 000009
【図８】
2014211865.tif 000010